(57)【要約】【課題】冷却構造の導出通路および導入通路がエンジンブロックに取り付けられる通路形成カバーにより形成される水冷内燃機関において、該通路形成カバーの小型化を図ること、および該通路形成カバーにより形成される導出通路および導入通路を含む冷却構造の冷却性能の向上を図る。【解決手段】水冷内燃機関Ｅの冷却構造Ｃは、エンジンブロック１，３ａ，３ｂに形成されて冷却水が流通する水ジャケット10ａ，10ｂ，11ａ，11ｂと、水ジャケット11ａ，11ｂからの冷却水をラジエータ12に導く導出通路42と、ラジエータ12からの冷却水を水ジャケット10ａ，10ｂに導く導入通路51とを含む。導出通路42および導入通路51は、シリンダブロック１に取り付けられる単一の通路形成カバー60単独で、かつ通路形成カバー60の内部空間が導出通路42と導入通路51とに共通の通路壁となる仕切壁62ｂで仕切られることにより形成されている。【選択図】図１
2010203380.tif 000002
【特許請求の範囲】
【請求項１】
エンジンブロックを冷却水により冷却する冷却構造が設けられた水冷内燃機関において、
前記冷却構造は、前記エンジンブロックに形成されて冷却水が流通する冷却部と、前記冷却部からの冷却水をラジエータに導く導出通路と、前記ラジエータからの冷却水を前記冷却部に導く導入通路とを含み、
前記導出通路および前記導入通路は、前記エンジンブロックに取り付けられる通路形成体単独で、かつ前記通路形成体の内部空間が前記導出通路と前記導入通路とに共通の通路壁となる仕切壁で仕切られることにより形成されていることを特徴とする水冷内燃機関。
【請求項２】
請求項１記載の水冷内燃機関において、
前記通路形成体は、前記エンジンブロックから、前記エンジンブロックを囲む外気が存在する外部空間に向かって特定方向に突出しており、
前記導出通路および前記導入通路は、前記特定方向に平行な方向に重ねられて配置されることを特徴とする水冷内燃機関。
【請求項３】
請求項２記載の水冷内燃機関において、
前記導出通路は、前記特定方向に平行な方向で前記エンジンブロックに対して前記導入通路よりも遠方に配置されることを特徴とする水冷内燃機関。
【請求項４】
請求項１から３のいずれか１項記載の水冷内燃機関において、
前記通路形成体は、前記導出通路の出口および前記導入通路の入口が並んで配置されて開口する取付面を有し、
前記冷却構造は、前記取付面に取り付けられたサーモスタットを含むことを特徴とする水冷内燃機関。
【請求項５】
シリンダおよびクランク軸を備える請求項１から４のいずれか１項記載の水冷内燃機関において、
前記導出通路の全体と前記導入通路の全体とが、前記クランク軸の回転中心線を含む基準平面または前記基準平面に平行な１つの特定平面と交わる位置にあることを特徴とする水冷内燃機関。
【請求項６】
シリンダおよびクランク軸を備える請求項１から５のいずれか１項記載の水冷内燃機関において、
前記通路形成体は、カバー部と管部とを有し、
前記導出通路は、前記冷却部から流出した冷却水が導かれる上流側導出通路と、前記上流側導出通路から流出した冷却水が導かれる下流側導出通路とを有し、
前記上流側導出通路は、前記カバー部が前記エンジンブロックに形成された溝を覆うことにより形成され、
前記下流側導出通路および前記導入通路は、前記管部単独で形成され、
前記上流側導出通路の全体、前記下流側導出通路の全体および前記導入通路の全体は、前記クランク軸の回転中心線を含む前記基準平面、または前記基準平面に平行な１つの特定平面に交わる位置にあることを特徴とする水冷内燃機関。
【発明の詳細な説明】
【技術分野】
【０００１】
本発明は、冷却水によりエンジンブロックを冷却する冷却構造が設けられた水冷内燃機関に関し、詳細には、該冷却構造において冷却水が流通する通路構造に関する。
【背景技術】
【０００２】
水冷内燃機関の冷却構造が、エンジンブロックに形成された冷却部（例えば、水ジャケット）からの冷却水をラジエータに導く導出通路と、ラジエータからの冷却水を前記冷却部に導く導入通路とを含むものは知られている。（例えば特許文献１参照）
【先行技術文献】
【特許文献】
【０００３】
【特許文献１】特表２００３−５３２０１６号公報
【発明の概要】
【発明が解決しようとする課題】
【０００４】
前記導出通路および前記導入通路が、エンジンブロック（例えば、シリンダブロック１）に設けられた溝を利用して、エンジンブロックと、前記溝を覆って該エンジンブロックに取り付けられる通路形成体（例えば、カバー）との協働により形成される場合、前記溝はシリンダブロック１の外面上に設けられるので、通路形成体は該外面を広範囲に渡って覆う必要がある。例えば、該溝が内燃機関のクランク軸の回転中心線を含む鉛直面に直交する方向に延びているものでは、通路形成体が該直交方向で大型化する。このように、通路形成体が大型化すると、狭いスペースでの該通路形成体による導出通路および導入通路の形成が困難になり、該通路形成体により形成される通路構造を含む冷却構造が適用される水冷内燃機関の範囲が制限される。
また、前述のように導出通路および導入通路がエンジンブロックと該エンジンブロックに取り付けられる通路形成体との協働により形成される場合、導出通路および導入通路を流通する冷却水はエンジンブロックとの間で直接熱交換を行うため、エンジンブロック自体の温度の影響を受ける度合いが大きくなる。このため、例えば、ラジエータで低温状態になる冷却水は、導出通路においてエンジンブロックにより加熱され、ラジエータで低温となった冷却水は導入通路においてエンジンブロックにより加熱されるので、冷却構造による冷却性能を低下させる。
一方、エンジンブロックの冷却部からの冷却水をラジエータに導く導出通路およびラジエータからの冷却水を該冷却部に導く導入通路が、ラジエータへの冷却水の流通および遮断を内燃機関の暖機状態に応じて制御するサーモスタットを介してラジエータに接続される場合、該導出通路および該導入通路が別個の導管によりそれぞれ形成されるのでは、それら導管同士の全体を近接して配置することにも限度があって、それら導管をコンパクトに配置することは困難である。
【０００５】
本発明は、このような事情に鑑みてなされたものであり、冷却構造の導出通路および導入通路がエンジンブロックに取り付けられる通路形成体により形成される水冷内燃機関において、該通路形成体の小型化を図ること、および該通路形成体により形成される導出通路および導入通路を含む冷却構造の冷却性能の向上を図ることを目的とする。
【課題を解決するための手段】
【０００６】
請求項１記載の発明は、エンジンブロック（Ｅｂ）を冷却水により冷却する冷却構造（Ｃ）が設けられた水冷内燃機関において、前記冷却構造（Ｃ）は、前記エンジンブロック（Ｅｂ）に形成されて冷却水が流通する冷却部（10ａ，10ｂ，11ａ，11ｂ）と、前記冷却部（11ａ，11ｂ）からの冷却水をラジエータ（12）に導く導出通路（41，42）と、前記ラジエータ（12）からの冷却水を前記冷却部（10ａ，10ｂ）に導く導入通路（51）とを含み、前記導出通路（42）および前記導入通路（51）は、前記エンジンブロック（Ｅｂ）に取り付けられる通路形成体（60）単独で、かつ前記通路形成体（60）の内部空間（62ａ）が前記導出通路（42）と前記導入通路（51）とに共通の通路壁となる仕切壁（62ｂ）で仕切られることにより形成されている水冷内燃機関である。
請求項２記載の発明は、請求項１記載の水冷内燃機関において、前記通路形成体（60）は、前記エンジンブロック（Ｅｂ）から、前記エンジンブロック（Ｅｂ）を囲む外気が存在する外部空間（Ｓ）に向かって特定方向に突出しており、前記導出通路（42）および前記導入通路（51）は、前記特定方向に平行な方向に重ねられて配置されるものである。
請求項３記載の発明は、請求項２記載の水冷内燃機関において、前記導出通路（42）は、前記特定方向に平行な方向で前記エンジンブロック（Ｅｂ）に対して前記導入通路（51）よりも遠方に配置されるものである。
請求項４記載の発明は、請求項１から３のいずれか１項記載の水冷内燃機関において、前記通路形成体（60）は、前記導出通路（42）の出口（42ｏ）および前記導入通路（51）の入口（51ｉ）が並んで配置されて開口する取付面（62ｃ）を有し、前記冷却構造（Ｃ）は、前記取付面（62ｃ）に取り付けられたサーモスタット（14）を含むものである。
請求項５記載の発明は、シリンダ（１ａ）およびクランク軸（５）を備える請求項１から４のいずれか１項記載の水冷内燃機関において、前記導出通路（42）の全体と前記導入通路（51）の全体とが、前記クランク軸（５）の回転中心線（Ｌ）を含む基準平面（Ｐ１）または前記基準平面（Ｐ１）に平行な１つの特定平面（Ｐ２）と交わる位置にあるものである。
請求項６記載の発明は、シリンダ（１ａ）およびクランク軸（５）を備える請求項１から５のいずれか１項記載の水冷内燃機関において、前記通路形成体（60）は、カバー部（61）と管部（62）とを有し、
前記導出通路（41，42）は、前記冷却部（10ａ，10ｂ）から流出した冷却水が導かれる上流側導出通路（41）と、前記上流側導出通路（41）から流出した冷却水が導かれる下流側導出通路（42）とを有し、前記上流側導出通路（41）は、前記カバー部（61）が前記エンジンブロック（Ｅｂ）に形成された溝（44）を覆うことにより形成され、前記下流側導出通路（42）および前記導入通路（51）は、前記管部（62）単独で形成され、前記上流側導出通路（41）の全体、前記下流側導出通路（42）の全体および前記導入通路（51）の全体は、前記クランク軸（５）の回転中心線（Ｌ）を含む前記基準平面（Ｐ１）、または前記基準平面（Ｐ１）に平行な１つの特定平面（Ｐ２）に交わる位置にあるものである。
【発明の効果】
【０００７】
請求項１記載の発明によれば、エンジンブロックに取り付けられる通路形成体は、エンジンブロックと協働することなく、単独で導出通路および導入通路を形成するので、通路形成体がエンジンブロックと協働することにより導出通路および導入通路を形成する場合に比べて、通路形成体をエンジンブロックの外面の小さな範囲に設けることができるので、通路形成体を小型化でき、さらに狭いスペースにおいても導出通路および導入通路を形成することができる。また、導出通路および導入通路が通路形成体単独で形成されること、および、通路形成体の内部空間を仕切る仕切壁が導出通路および導入通路の共通の通路壁となることにより、導出通路および導入通路が部分的にエンジンブロックにより形成されることで冷却水が導出通路および導入通路においてエンジンブロック自体により加熱される場合に比べて、導出通路および導入通路での冷却水の加熱が抑制されるので、導出通路および導入通路を含む冷却構造による冷却性能を向上できる。
請求項２記載の事項によれば、導出通路および導入通路を形成する通路形成体がエンジンブロックから特定方向で外部空間に向かって突出するので、導出通路および導入通路がエンジンブロックの外面に沿って配置される場合に比べて通路形成体を小型化できる。しかも、通路形成体は外気が存在する外部空間に突出しているので、通路形成体と外気との接触面積が大きくなって、導出通路および導入通路において冷却水が外気に放熱する。この結果、冷却水が導出通路および導入通路において冷却されるので、冷却構造による冷却性能を向上できる。
請求項３記載の事項によれば、エンジンブロックを冷却した後の冷却水が流通する導出通路がエンジンブロックから離れているので、エンジンブロックによる加熱が一層抑制されて、導出通路における冷却水の冷却を促進することができて、冷却構造による冷却性能を向上できる。
請求項４記載の事項によれば、取付面には導出通路および導入通路が開口することから、取付面の面積を大きくすることができるので、サーモスタットを強固に固定することができる。また、取付面の面積が大きいことで、該取付面を有する通路形成体を通じての放熱が促進されて、冷却構造による冷却性能を向上できる。
請求項５記載の事項によれば、導出通路の全体および導入通路の全体が基準平面に沿って配置されるので、通路形成体を基準平面に直交する方向で小型化できて、通路形成体により形成される導出通路および導入通路を含む冷却構造が適用される水冷内燃機関の種類を広げることができる。
請求項６記載の事項によれば、通路形成体のカバー部により形成される上流側導出通路全体と、通路形成体の管部により形成される下流側導出通路全体および導入通路全体とが、基準平面または特定平面と交わる位置に配置されるので、通路形成体を基準平面に直交する方向で小型化できて、通路形成体により形成される上流側導出通路、下流側導出通路および導入通路を含む冷却構造が適用される水冷内燃機関の種類を広げることができる。
【図面の簡単な説明】
【０００８】
【図１】本発明が適用された水冷内燃機関の要部分解斜視図であり、一部が模式的に示されている。
【図２】図１の内燃機関の冷却構造の通路形成カバーを下方から見た図である。
【発明を実施するための形態】
【０００９】
以下、本発明の実施形態を図１，図２を参照して説明する。
図１を参照すると、本発明が適用された水冷内燃機関Ｅは、車両に搭載される多気筒内燃機関としてのＶ型内燃機関であり、燃焼室が形成されたエンジンブロックＥｂを備えるエンジン本体Ｅａと、エンジン本体Ｅａに回転可能に支持されるエンジン主軸としてのクランク軸５とを備える。
エンジン本体Ｅａは、１以上のシリンダ、ここではＶ字形の１対のシリンダ部２ａ，２ｂを形成するように配列されると共に一体成形により一体化された複数のシリンダ１ａを有するシリンダブロック１と、該シリンダブロック１において第１，第２シリンダ部２ａ，２ｂの上端部にそれぞれ結合される１対のシリンダヘッド３ａ，３ｂと、１対のシリンダヘッド３ａ，３ｂの上端部にそれぞれ結合される１対のヘッドカバー４と、シリンダブロック１の下端部に結合されるオイルパン（図示されず）とから構成される。そして、エンジンブロックＥｂは、シリンダブロック１と１対のシリンダヘッド３ａ，３ｂとから構成される。
また、シリンダブロック１の下部１ｂおよび前記オイルパンは、クランク軸５が配置されるクランク室を形成するクランクケースを構成し、回転中心線Ｌを有するクランク軸５が主軸受を介して該クランクケースに回転可能に支持される。
【００１０】
なお、明細書または特許請求の範囲において、上下方向は、内燃機関のエンジン軸線としての回転中心線を含む平面であって、回転中心線方向から見たときに、Ｖ型内燃機関の場合には、両バンクのシリンダのシリンダ軸線により形成されるバンク角を二等分する平面を基準平面とするとき、該基準平面と前記回転中心線に直交する平面との交線の方向であるとする。
また、内燃機関が、単気筒機関または直列配置の多気筒機関である場合、基準平面は、回転中心線方向から見たときに、前記回転中心線を含むと共に、シリンダ軸線に平行であるかまたは該シリンダ軸線を含む平面であるとする。
さらに、実施形態において、上方は、上下方向を鉛直方向であるとしたときの上方であるとする。
【００１１】
各シリンダ部２ａ，２ｂは、１つのシリンダにより、または、複数のシリンダからなるシリンダ列により構成され、この実施形態では、両シリンダ部２ａ，２ｂは、同数の３のシリンダ１ａをそれぞれ有する。そして、回転中心線方向Ａ１から見たときにＶ字形をなす１対のバンクＢａ，Ｂｂのそれぞれが、シリンダ部２ａ，２ｂ、シリンダヘッド３ａ，３ｂおよびヘッドカバー４，４により構成される。
【００１２】
エンジンブロックＥｂにおいて、各シリンダ１ａに往復運動可能に嵌合するピストンが設けられ、前記燃焼室が各シリンダ１ａとシリンダヘッド３ａ，３ｂと前記ピストンとにより形成される。前記ピストンは、前記各燃焼室内での燃料の燃焼により発生する燃焼ガスの圧力により駆動されて往復運動し、コンロッドを介してクランク軸５を回転駆動する。
【００１３】
内燃機関Ｅには、前記燃焼室を形成する各シリンダ１ａおよびシリンダヘッド３ａ，３ｂを冷却する冷却水が流通する冷却構造Ｃが設けられる。
冷却構造Ｃは、各バンクＢａ，Ｂｂにおいて、シリンダ部２ａ，２ｂの各シリンダ１ａに形成されたブロック側冷却部としてのブロック側水ジャケット10ａ，10ｂと、シリンダヘッド３ａ，３ｂに形成されたヘッド側冷却部としてのヘッド側水ジャケット11ａ，11ｂと、シリンダブロック１およびシリンダヘッド３ａ，３ｂを冷却した後の冷却水が導かれるラジエータ12と、ラジエータ12で冷却された冷却水を吸入して圧送する水ポンプ13と、ラジエータ12への冷却水の流通および遮断を内燃機関Ｅの暖機状態に応じて制御するサーモスタット14と、冷却水が流通する多数の水通路から構成される水通路群とを含む。
【００１４】
各ブロック側水ジャケット10ａ，10ｂおよび各ヘッド側水ジャケット11ａ，11ｂは、エンジンブロックＥｂの冷却部を構成する。
また、駆動装置13ａにより駆動されるインペラを備える水ポンプ13は、回転中心線方向Ａ１（各バンクＢａ，Ｂｂにおいてシリンダ１ａの配列方向でもある。）でのシリンダブロック１の一方の端部の端面である取付面１ｅに取り付けられる。駆動装置13ａは、この実施形態では電動モータにより構成されるが、別の例として、クランク軸５の動力により駆動される装置、例えば、巻掛け伝動装置などの伝動装置により構成されてもよい。
【００１５】
前記水通路群を構成する前記各水通路は、シリンダブロック１またはシリンダヘッド３ａ，３ｂなどに設けられた孔または溝により、または、後述する通路形成カバー60により、または、導管等により形成される。したがって、該水通路を形成するシリンダブロック１、シリンダヘッド３ａ，３ｂ、通路形成カバー60および導管等は、内燃機関Ｅが備える水通路形成部材である。
なお、図１において、前記水通路の一部および前記導管の一部は、それぞれ点線および二点鎖線により模式的に示されている。
【００１６】
前記水通路群は、シリンダブロック１の各シリンダ部２ａ，２ｂに形成されて水ポンプ13から吐出された冷却水を各ブロック側水ジャケット10ａ，10ｂに導く供給通路20ａ，20ｂと、各シリンダ部２ａ，２ｂと各シリンダヘッド３ａ，３ｂとの結合部に配置されたガスケット（図示されず）に形成されて各ブロック側水ジャケット10ａ，10ｂから流出した冷却水を各ヘッド側水ジャケット11ａ，11ｂに導く連絡通路21ａ，21ｂと、各ヘッド側水ジャケット10ａ，10ｂから流出した冷却水をラジエータ12に導く導出通路22と、ラジエータ12から流出した冷却水を水ポンプ13に導く導入通路23と、導出通路22と導入通路23とを連通してラジエータ12をバイパスするバイパス通路（図示されず）とを含む。
【００１７】
導出通路22は、各ヘッド側水ジャケット11ａ，11ｂから流出した冷却水をサーモスタット14に導く第１導出通路24と、サーモスタット14から流出した冷却水をラジエータ12に導く第２導出通路25とを含む。導入通路23は、ラジエータ12から流出した冷却水をサーモスタット14に導く第１導入通路26と、サーモスタット14から流出した冷却水を水ポンプ13に導く第２導入通路27とを含む。
第１導出通路24は、各ヘッド側水ジャケット10ａ，10ｂから流出した冷却水が導かれる第１通路30と、第１通路30から流出した冷却水が導かれる中間通路39と、各ヘッド側水ジャケット11ａ，11ｂから流出して第１通路30および中間通路39を順次通った冷却水をサーモスタット14に導く第２通路40とを含む。
第２導入通路27は、ラジエータ12から流出してサーモスタット14を通った冷却水が導かれる上流側導入通路51と、ラジエータ12から流出して上流側導入通路51を通った冷却水を水ポンプ13に導く下流側導入通路52とを含む。
供給通路20ａ，20ｂおよび下流側導入通路52は、シリンダブロック１に設けられた孔により形成される。第２導出通路25および第１導入通路26は、それぞれ、導管としての導出用ラジエータホース25ａおよび導入用ラジエータホース26ａにより形成される。
【００１８】
第１通路30は、上流通路としての１対の各ヘッド側分岐通路31ａ，31ｂと下流通路としての合流通路32とを含む。第１通路30は、シリンダヘッド３ａ，３ｂに着脱可能に取り付けられて各シリンダヘッド３ａ，３ｂとシリンダブロック１とに跨って配置される接続導管33により形成され、中間通路39は導管39ａにより形成される。
接続導管33は、各シリンダヘッド３ａ，３ｂに接続される接続部34ａ，35ａを有すると共に該接続部34ａ，35ａにおいて各ヘッド側水ジャケット11ａ，11ｂにそれぞれ連通する１対の分岐通路31ａ，31ｂを形成する１対の分岐管部34，35と、通路形成カバー60の接続部63に接続される導管39ａが接続される接続部36ａを有すると共に合流通路32を形成する合流管部36とを有する。第１通路30において、各ヘッド側水ジャケット11ａ，11ｂから流出した冷却水は、分岐通路31ａ，31ｂを通って合流通路32で合流した後、中間通路39を通じて第２通路40に導かれる。
【００１９】
そして、接続導管33および導管39ａは、シリンダブロック１およびシリンダヘッド３ａ，３ｂを囲む外気が存在する外部空間Ｓに露出して配置される。このため、ヘッド側水ジャケット11ａ，11ｂから流出した直後であることで比較的高温の冷却水は、第１通路30および中間通路39において、接続導管33および導管39ａを通じて外気に放熱するので、第２通路40には、第１通路30および中間通路39で冷却された冷却水が導かれる。
【００２０】
第２通路40は、第１通路30から流出した冷却水が導かれる接続通路としての入口通路43と、第１通路30の合流通路32から流出した冷却水が入口通路43を通じて導かれる上流側導出通路41と、上流側導出通路41から流出した冷却水が導かれる下流側導出通路42とを含む。
第２通路40は、シリンダブロック１に着脱可能に取り付けられる通路形成体としての通路形成カバー60により形成される。
【００２１】
図２を併せて参照すると、金属材料により一体成形された通路形成カバー60は、シリンダブロック１において、両シリンダ部２ａ，２ｂの中間部としてのＶバンクＢａ，Ｂｂの中央部である谷部１ｃに取り付けられる。通路形成カバー60は、シリンダブロック１の一部である谷部１ｃと協働して上流側導出通路41を形成するカバー部61と、通路形成カバー60単独で下流側導出通路42および上流側導入通路51を形成する管部62とを有する。カバー部61は入口通路43を形成する管状の接続部63を有する。
【００２２】
カバー部61および管部62のそれぞれの一部は、谷部１ｃに設けられたブロック側結合部45に液密に結合されるカバー側結合部64を構成する。カバー側結合部64は、ネジが挿通されるカバー側取付部64ａと、シール部材としてのＯリング（図示されず）が装着される装着部としての装着溝65が設けられた平面部64ｂとを有する。平面部64ｂにおいて、装着溝65を除いた部分の全体は同一平面上にあり、装着溝65に沿う部分は合わせ面である通路形成体側シール面としてのカバー側シール面66を構成する。
一方、谷部１ｃには、上方に向かって外部空間Ｓに開口する開放口44ａを有する溝44が形成される。ブロック側結合部45は、下流側導入通路52の入口52ｉおよび開放口44ａを規定すると共に前記Ｏリングが接触する合わせ面であるブロック側シール面46と、カバー側取付部64ａに挿通された前記ネジがねじ込まれるブロック側取付部45ａとを有する。
そして、カバー部61は、溝44を上方から覆うことにより上流側導出通路41を形成し、管部62は、上流側導出通路41の出口41ｏ（開放口44ａの一部である。）と下流側導入通路52の入口52ｉとを上方から覆う。
【００２３】
両シール面46，66は、上流側導出通路41の過半である大部分が形成されている低部46ａ，66ａと、低部46ａ，66ａよりも上方に位置して上流側導出通路41の出口41ｏ、下流側導入通路52の入口52ｉ、下流側導出通路42の入口42ｉ、および上流側導入通路51の出口51ｏが形成される高部46ｂ，66ｂと、低部46ａ，66ａと高部46ｂ，66ｂとを繋ぐ傾斜面である段差部46ｃ，66ｃとを有する。
そして、上流側導出通路41は、回転中心線方向Ａ１に平行に、かつ回転中心線方向Ａ１で各バンクＢａ，Ｂｂの全てのシリンダ１ａに渡る範囲に延びている。下流側導出通路42は、入口42ｉ寄りの部分において高部66ｂから上方に立ち上がった後、サーモスタット14に向かう方向に屈曲して、出口42ｏ付近で回転中心線方向Ａ１に平行に延びている。一方、上流側導入通路51は、出口51ｏ寄りの部分において高部66ｂから上方に立ち上がった後、サーモスタット14に向かう方向に屈曲して、入口51ｉ付近で回転中心線方向Ａ１に平行に延びている。
【００２４】
カバー部61は、シリンダブロック１に形成された溝44を覆うことにより、シリンダブロック１と協働して上流側導出通路41を形成するので、上流側導出通路41が導管単独で形成される場合に比べて、大きなスペースを占有することなく上流側導出通路41の通路面積を大きくすることができ、しかも回転中心線方向Ａ１を長手方向として延びていることにより、後述する基準平面Ｐ１に直交する直交方向Ａ２に通路を広げることなく上流側導出通路41の容積を大きくすることができる。そして、このような上流側導出通路41に、第１通路30において外気で冷却されて低温化された冷却水が導かれるので、上流側導出通路41の冷却水により、シリンダブロック１の冷却性が向上する。
【００２５】
管部62単独で形成される下流側導出通路42および上流側導入通路51は、該管部62の内部空間62ａが仕切壁62ｂで仕切られることにより、該仕切壁62ｂを下流側導出通路42と上流側導入通路51とに共通の通路壁として形成される。
管部62は、外部空間Ｓの一部であって両バンクＢａ，Ｂｂにより形成されるバンク空間において、谷部１ｃから上下方向に平行な特定方向としての上方に突出している。下流側導出通路42および上流側導入通路51は、下流側導出通路42において出口42ｏ寄りの部分である出口側通路部分42ａ、および、上流側導入通路51において入口51ｉ寄りの部分である入口側通路部分51ａで、上下方向に重ねられて配置されて、上流側導出通路41は、上流側導入通路51よりも上方に配置され、上下方向で谷部１ｃに対して上流側導入通路51よりも遠方に配置される。
【００２６】
管部62は、上流側導出通路41の出口41ｏおよび上流側導入通路51の入口51ｉが上下方向に並んで配置されて開口する取付面62ｃを有し、該取付面62ｃにサーモスタット14が取り付けられる。取付面62ｃは、回転中心線方向Ａ１での通路形成カバー60の端面であり、水ポンプ13が取り付けられる取付面１ｅと同様に、回転中心線Ｌに直交する平面に平行な平面である。
【００２７】
水ポンプ13の真上に配置されるサーモスタット14は、取付面62ｃに取付具としてのネジ（図示されず）により取り付けられるハウジング14ａと、該ハウジング14ａにより形成されて冷却水が流通する弁室内に配置される弁部材（図示されず）とを備える。
ハウジング14ａには、取付面62ｃに対面して取り付けられる取付部14ｂと、導出用ラジエータホース25ａが接続される導出用接続部14ｃと、導入用ラジエータホース26ａが接続される導入用接続部14ｄとが設けられる。
冷却水の温度に応動する感温部材を内蔵する前記弁部材は、内燃機関Ｅの機関温度としての冷却水温度が所定温度以下である内燃機関Ｅの暖機時（または冷機時）に、第１導入通路26を閉じて該第１導入通路26と上流側導入通路51との間の連通を遮断することにより、上流側導出通路41と第２導出通路25との間での冷却水の流通を遮断する一方、ハウジング14ａ内に形成された前記バイパス通路を連通状態にし、内燃機関Ｅの暖機完了後に、第１導入通路26と上流側導入通路51との間を連通状態にすることにより、上流側導出通路41から第２導出通路25への冷却水の流通を許容する一方、前記バイパス通路を閉じて該バイパス通路を通じての冷却水の流通を遮断する。
【００２８】
図２に示されるように、入口42ｉおよび出口42ｏを含む下流側導出通路42の全体と、入口51ｉおよび出口51ｏを含む上流側導入通路51の全体とは、クランク軸５の回転中心線Ｌを含む基準平面Ｐ１または基準平面Ｐ１に平行な１つの特定平面Ｐ２と交わる位置、図示された例では特定平面Ｐ２と交わる位置にある。
下流側導出通路42が、その入口42ｉにて連通する上流側導出通路41は、クランク軸５の回転中心線Ｌを含む基準平面Ｐ１または基準平面Ｐ１に平行な１つの特定平面Ｐ２に平行な方向に延びている。そして、入口通路43全体、上流側導出通路41の全体および下流側導出通路42の全体、すなわち第１通路30全体と、上流側導入通路51の全体とが、基準平面Ｐ１または基準平面Ｐ１に平行な１つの特定平面Ｐ２と交わる位置、図示された例では特定平面Ｐ２と交わる位置にある。
上流側導入通路51および下流側導入通路52は、回転中心線方向Ａ１で、上流側導出通路41に対して、端面、水ポンプ13およびサーモスタット14寄りに位置する。
【００２９】
さらに、下流側導出通路42の入口42ｉ（または上流側導出通路41の出口41ｏ）および上流側導入通路51の出口51ｏ（または下流側導入通路52の入口52ｉ）は、上下方向で下流側導入通路52の出口52ｏまたは水ポンプ13の入口（図示されず）と同じ位置にある上流側導出通路41に対して上方に位置することにより、水ポンプ13の真上に配置されるサーモスタット14の、管部62への取付を可能としながら、通路形成カバー60のカバー部61を谷部１ｃにおいて下方に配置できるので、通路形成カバー60のカバー部61の真上にスペースが形成される。この結果、該スペースを利用して通路形成カバー60の周辺にある周辺部品を配置することが可能になるので、シリンダブロック１において該周辺部材のコンパクトな配置が可能になる。
【００３０】
次に、前述のように構成された実施形態の作用および効果について説明する。
水冷内燃機関Ｅの冷却構造Ｃは、シリンダブロック１およびシリンダヘッド３ａ，３ｂにそれぞれ形成されて冷却水が流通するブロック側水ジャケット10ａ，10ｂおよびヘッド側水ジャケット11ａ，11ｂと、各ヘッド側水ジャケット11ａ，11ｂからの冷却水をラジエータ12に導く導出通路22と、ラジエータ12からの冷却水をブロック側水ジャケット10ａ，10ｂに導く導入通路23とを含み、導出通路22の下流側導出通路42および導入通路23の上流側導入通路51は、シリンダブロック１に取り付けられる単一の通路形成カバー60単独で、かつ通路形成カバー60の内部空間62ａが下流側導出通路42と上流側導入通路51とに共通の通路壁となる仕切壁62ｂで仕切られることにより形成されている。
この構造により、シリンダブロック１に取り付けられる通路形成カバー60は、シリンダブロック１と協働することなく、単独で下流側導出通路42および上流側導入通路51を形成するので、通路形成カバーがシリンダブロック１と協働することにより下流側導出通路および上流側導入通路を形成する場合に比べて、通路形成カバー60をシリンダブロック１の外面の小さな範囲に設けることができるので、通路形成カバー60を小型化でき、さらに狭いスペースにおいても下流側導出通路42および上流側導入通路51を形成することができる。
また、下流側導出通路42および上流側導入通路51が通路形成カバー60単独で形成されること、および、通路形成カバー60の内部空間62ａを仕切る仕切壁62ｂが下流側導出通路42および上流側導入通路51の共通の通路壁となることにより、下流側導出通路42および上流側導入通路51が部分的にシリンダブロック１により形成されることで冷却水が下流側導出通路および上流側導入通路においてシリンダブロック１自体により加熱される場合に比べて、下流側導出通路42および上流側導入通路51での冷却水の加熱が抑制されるので、下流側導出通路42および上流側導入通路51を含む冷却構造Ｃによる冷却性能を向上できる。
【００３１】
通路形成カバー60は、シリンダブロック１から、シリンダブロック１を囲む外気が存在する外部空間Ｓであるバンク空間に向かって上方に突出しており、下流側導出通路42および上流側導入通路51は、上方に平行な方向である上下方向に重ねられて配置されることにより、下流側導出通路42および上流側導入通路51を形成する通路形成カバー60がシリンダブロック１から上方に外部空間Ｓに向かって突出するので、下流側導出通路および上流側導入通路がシリンダブロック１の外面に沿って配置される場合に比べて通路形成カバー60を小型化できる。しかも、通路形成カバー60は外気が存在する外部空間Ｓに突出しているので、通路形成カバー60と外気との接触面積が大きくなって、下流側導出通路42および上流側導入通路51において冷却水が外気に放熱する。この結果、冷却水が下流側導出通路42および上流側導入通路51において冷却されるので、冷却構造Ｃによる冷却性能を向上できる。
【００３２】
下流側導出通路42は、上下方向でシリンダブロック１に対して上流側導入通路51よりも遠方に配置されることにより、シリンダブロック１を冷却した後の冷却水が流通する下流側導出通路42がシリンダブロック１から離れているので、シリンダブロック１による加熱が一層抑制されて、下流側導出通路42における冷却水の冷却を促進することができて、冷却構造Ｃによる冷却性能を向上できる。
【００３３】
通路形成カバー60は、下流側導出通路42の出口42ｏおよび上流側導入通路51の入口51ｉが上下方向に並んで配置されて開口する取付面62ｃを有し、冷却構造Ｃは、取付面62ｃに取り付けられたサーモスタット14を含むことにより、取付面62ｃには下流側導出通路42および上流側導入通路51が開口することから、取付面62ｃの面積を大きくすることができるので、サーモスタット14を強固に固定することができる。また、取付面62ｃの面積が大きいことで、該取付面62ｃを有する通路形成体を通じての放熱が促進されて、冷却構造Ｃによる冷却性能を向上できる。
【００３４】
下流側導出通路42の全体と上流側導入通路51の全体とが、クランク軸５の回転中心線Ｌを含む基準平面Ｐ１または基準平面Ｐ１に平行な１つの特定平面Ｐ２と交わる位置にあり、また回転中心線方向Ａ１に平行に延びていることにより、下流側導出通路42の全体および上流側導入通路51の全体が基準平面Ｐ１に沿って、また回転中心線Ｌに平行に延びて配置されるので、通路形成カバー60を基準平面Ｐ１に直交する直交方向Ａ２で小型化できて、通路形成カバー60により形成される下流側導出通路42および上流側導入通路51を含む冷却構造Ｃが適用される水冷内燃機関の種類を広げることができる。
【００３５】
通路形成カバー60は、カバー部61と管部62とを有し、下流側導出通路42は、各ヘッド側水ジャケット11ａ，11ｂから流出した冷却水が導かれる上流側導出通路41と、上流側導出通路41から流出した冷却水が導かれる下流側導出通路42とを有し、上流側導出通路41は、カバー部61がシリンダブロック１に形成された溝41を覆うことにより形成され、下流側導出通路42および上流側導入通路51は、管部62単独で形成され、上流側導出通路41全体、下流側導出通路42全体および上流側導入通路51全体が、クランク軸５の回転中心線Ｌを含む基準平面Ｐ１、または基準平面Ｐ１に平行な１つの特定平面Ｐ２と交わる位置にあると共に基準平面Ｐ１に平行な方向に延びていることにより、通路形成カバー60のカバー部61により形成される上流側導出通路41全体と、通路形成カバー60の管部62により形成される下流側導出通路42全体および上流側導入通路51全体とが、基準平面Ｐ１または特定平面Ｐ２と交わる位置に配置されるので、通路形成カバー60を直交方向Ａ２で小型化できて、通路形成カバー60により形成される上流側導出通路41、下流側導出通路42および上流側導入通路51を含む冷却構造Ｃが適用される水冷内燃機関の種類を広げることができる。
【００３６】
以下、前述した実施形態の一部の構成を変更した実施形態について、変更した構成に関して説明する。
前記実施形態以外の導出通路および導入通路の組合せが、通路形成体により形成されてもよい。
第２通路40全体および上流側導入通路51が、通路形成体単独で形成されてもよい。
通路形成体が、シリンダヘッドに取り付けられてもよい。
通路形成カバー60において、下流側導入通路52が特定方向でシリンダブロック１に対して下流通路よりも遠方に配置されるように、下流通路および下流側導入通路52が特定方向に重ねられて配置されてもよく、小お場合にも通路形成カバー60を小型化できる。
取付面62ｃにおいて、下流側導出通路42の出口42ｏおよび上流側導入通路51の入口51ｉが、上下方向以外の方向、例えば基準平面Ｐ１に直交する直交方向Ａ２や水平方向に並んでいてもよい。
下流側導出通路42がサーモスタット14を介してラジエータ12または導出用ラジエータホース25ａに連通し、上流側導入通路51がサーモスタット14を介することなくラジエータ12または導入用ラジエータホース26ａに連通してもよい。また、下流側導出通路42がサーモスタット14を介することなくラジエータ12または導出用ラジエータホース25ａに連通し、上流側導入通路51がサーモスタット14を介してラジエータ12または導入用ラジエータホース26ａに連通してもよい。
通路形成体は、複数の部材が結合されて一体化された単一の部材であってもよい。
内燃機関は、前記実施形態では車両に使用されるものであったが、鉛直方向を指向するクランク軸５を備える船外機等の船舶推進装置に使用されるものであってもよい。
【符号の説明】
【００３７】
１…シリンダブロック、３ａ，３ｂ…シリンダヘッド、５…クランク軸、10ａ，10ｂ，11ａ，11ｂ…水ジャケット、12…ラジエータ、13…水ポンプ、14…サーモスタット、40…第２通路、41…上流側導出通路、42…下流側導出通路、51…上流側導入通路、52…下流側導入通路、60…通路形成カバー、61…カバー部、62…管部、62ａ…内部空間、62ｂ…仕切壁、
Ｅ…内燃機関、Ｅｂ…エンジンブロック、Ｌ…回転中心線、Ｓ…外部空間、Ｐ１…基準平面、Ｐ２…特定平面。
【図１】
2010203380.tif 000003
【図２】
2010203380.tif 000004